(57)【要約】【課題】販売促進効果が高く、かつ表示部材の取り付け構造が簡単な販売促進用筆記具を提供する。【解決手段】販売促進用のボールペン１は、販売促進用表示７ａを施した表示部７と、間隔をおいて平行に伸び、先端内側に山形の係止部を互いに対向するように形成した一対の挟持爪９，９とを、弾性を有するプラスチック材で一体形成してなる表示部材５を設け、前記表示部７がキャップ４からその軸芯が伸びる方向に突出するように、前記一対の挟持爪９，９で前記キャップ４に設けたクリップ３基端に設けた支持軸６を挟むことによって、キャップ４に表示部材５を離脱可能に取り付ける。【選択図】図１
0003132177.tif 000002
【実用新案登録請求の範囲】
【請求項１】
筆記具本体一端部あるいはキャップ一端部の側部にその基端を支持したクリップを有する筆記具であって、販売促進用表示を施した表示部と、連繋部とからなる表示部材を、前記連繋部において前記クリップ基端に取り付けた販売促進用筆記具。
【請求項２】
筆記具本体一端部あるいはキャップ一端部の側部にその基端を支持したクリップを有する筆記具であって、販売促進用表示を施した表示部と、間隔をおいて平行に伸び、その各先端近傍の各内側に山形の係止部を互いに対向するように形成した一対の挟持爪とを、弾性を有するプラスチック材で一体形成してなる表示部材を、前記表示部が筆記具本体あるいはキャップからそれぞれの軸芯が伸びる方向に突出するように、前記一対の挟持爪で前記クリップ基端に設けた支持軸を挟むことによって、筆記具本体あるいはキャップに離脱可能に取り付けた販売促進用筆記具。
【考案の詳細な説明】
【技術分野】
【０００１】
本考案は、ボールペン、シャープペンシルなどの販売促進用筆記具に係り、特に筆記具のクリップに販売促進用表示部材を設けたものに関するものである。
【背景技術】
【０００２】
従来、宣伝、販売促進用の表示部材を備えた筆記具としては、筆記具本体のペンや鉛筆の芯などの筆記体が設けられた先端とは反対端に前記表示部材を設けたものが一般的である（特許文献１参照）。
【特許文献１】特表２００６−５１７８７８号公報
【考案の開示】
【考案が解決しようとする課題】
【０００３】
前記従来の筆記具は、販売促進用表示部材を筆記具本体の端部に設けるための構造が複雑になり、製造費も嵩むという問題があった。
【０００４】
本考案は、上記問題を解消することを課題とし、該課題を解決した販売促進用表示部材を設けた筆記具を提供することを目的とする。
【課題を解決するための手段】
【０００５】
上記目的達成するために、請求項１に記載した本考案は、筆記具本体一端部あるいはキャップ一端部の側部にその基端を支持したクリップを有する筆記具であって、販売促進用表示を施した表示部と、連繋部とからなる表示部材を、前記連繋部において前記クリップ基端に取り付けたものである。
【０００６】
また、請求項２に記載した本考案は、筆記具本体一端部あるいはキャップ一端部の側部にその基端を支持したクリップを有する筆記具であって、販売促進用表示を施した表示部と、間隔をおいて平行に伸び、その各先端近傍の各内側に山形の係止部を互いに対向するように形成した一対の挟持爪とを、弾性を有するプラスチック材で一体形成してなる表示部材を、前記表示部が筆記具本体あるいはキャップからそれぞれの軸芯が伸びる方向に突出するように、前記一対の挟持爪で前記クリップ基端に設けた支持軸を挟むことによって、筆記具本体あるいはキャップに離脱可能に取り付けたものである。
【考案の効果】
【０００７】
以上のように、請求項１に記載した販売促進用筆記具は、筆記具のクリップ基端に表示部材を取り付けるので、取り付け構造を簡単にすることができるとともに、表示部が目立ち、販売促進に貢献し得るという効果を奏する。
【０００８】
また、請求項２に記載した販売促進用筆記具は、筆記具のクリップ基端に表示部材を取り付けるので、取り付け構造を簡単にすることができるとともに、表示部が目立ち、販売促進効果が高く、また、表示部材を筆記具本体あるいはキャップから分離可能なので、表示部材を他の筆記具に替えて取り付けることができるうえ、表示部材の取り付け時には、両挟持爪先端間にクリップ基端の支持軸を嵌め込むように押し込めば両係止爪が押し開かれて前記支持軸を挟むとともに一対の係止爪が支持軸に係止するので不用意に離脱しない一方、表示部材の取り外し時には、表示部材を筆記具本体あるいはキャップから引き離すよう引っ張れば係止爪が支持軸に押し開かれ、支持軸から容易に離脱できるという効果を奏する。
【考案を実施するための最良の形態】
【０００９】
以下に、本考案をキャップ付きのボールペンに適用した好適な実施形態を添付図面の図１〜図５に基づいて詳細に説明する。ここにおいて、図１は表示部材を取り付けたボールペンの正面図、図２はキャップの側面図、図３は表示部材の正面図、図４は表示部材を取り付けたキャップの側面図、図５は図４のＡ−Ａ線断面図である。
【００１０】
図１〜図５に示すように、筆記具たるボールペン１は、筆記具本体たるボールペン本体２と、クリップ３を設けたキャップ４と、販売促進用の表示部材５とからなる。
【００１１】
図２に示すように、キャップ４のクリップ３は、その基端に所定の厚みと長さをもつ支持軸６を有し、この支持軸６によってキャップ４の端部近傍の側部に前記基端が連結されている。
【００１２】
図１、図３〜図５に示すように、表示部材５は、弾力を有する透明なプラスチック材でプレート状に形成したものであり、販売促進表示たるキャラクター７ａを表示した表示部７と、クリップ３基端の前記支持軸６を挟持可能な間隙８を形成するように平行に伸びる一対の挟持爪９，９とからなる。前記挟持爪９，９には、各先端部分の内側に支持軸６に係止する山形の対向する係止部１０，１０を形成してある。前記挟持爪９，９間の間隙８の形状は、前記支持軸６の縦断面形状にほぼ一致するように形成されている（図５参照）。また、前記山形の係止爪１０，１０は、それぞれ山形の頂部両側に傾斜面１０ａ，１０ｂが形成されるものである。
【００１３】
前記表示部材５の取り付けは、前記両係止部１０，１０間を前記支持軸６に当て表示部材５を前記支持軸６に対して押し込むと、前記山形の係止部１０，１０先端側の傾斜面１０ａに支持軸６の端部縁が当たり、前記挟持爪９，９がプラスチック材の弾力に抗しながらたわんで開き、さらに押し込むと前記間隙８に前記支持軸６が収まり（図５参照）、同時に前記挟持爪９，９の開きが弾力で戻り、前記係止部１０，１０が前記支持軸６に係止した状態となり、表示部材５は前記支持軸６から簡単には離脱しない。
【００１４】
また、前記表示部材５の取り外しは、キャップ４に対して引っ張ると、前記山形の係止部１０，１０の、前記先端側の傾斜面１０ａとは反対側の傾斜面１０ｂに支持軸６の端部縁が当たることにより、前記挟持爪９，９がプラスチック材の弾力に抗しながらたわんで開き、さらに引くと離脱する。
【００１５】
なお、本考案は上記実施形態に何ら限定されるものではなく、例えば、表示部材５の連繋部は、挟持爪９，９のようにクリップ３基端の支持軸６から離脱可能な構造ではなく、クリップ３基端に離脱不能に取り付けるものであってもよい。また、表示部材５の表示部７に表示する販売促進表示はキャラクター７ａではなく、宣伝文等であってもよい。さらに、筆記具は、ボールペン１ではなく、シャープペンシルなどであってもよいほか、キャップ４のないものであってもよい。この場合，クリップ４は筆記具の端部近傍に設けられ、このクリップ４に表示部材５を取り付けるように構成する。
【図面の簡単な説明】
【００１６】
【図１】表示部材を取り付けたボールペンの正面図。
【図２】キャップの側面図。
【図３】表示部材の正面図。
【図４】表示部材を取り付けたキャップの側面図。
【図５】図４のＡ−Ａ線断面図。
【符号の説明】
【００１７】
１    ボールペン
２    ボールペン本体
３    クリップ
４    キャップ
５    表示部材
６    支持軸
７    表示部
８    間隙
９    挟持爪
１０    山形部
【図１】
0003132177.tif 000003
【図２】
0003132177.tif 000004
【図３】
0003132177.tif 000005
【図４】
0003132177.tif 000006
【図５】
0003132177.tif 000007